(57)【特許請求の範囲】
【請求項１】
ケーブル（８）とプ−リ（１０）を介して負荷された訓練動作に対抗するためのウェイトスタック（６）を有する運動装置（２）であって、
前記ウェイトスタック（６）は、互いに垂直に積み重ねられたウェイト（１４）の一群を有し、前記ウェイト（１４）は、そこに形成された中央開口（２０）を有し、それを通してリフティングステム（１６）が下方向に挿入可能であり、
各ウェイト（１４）は、選択可能な数のウェイト（１４）の前記リフティングステム（１６）への連結と固定のために、前記リフティングステム（１６）と枢動的に係合可能であるウェイト選択手段（４）と、さらに、下面上に少なくとも１つのレベルの深さを有する凹部（１８）が設けられ、
前記ウェイト選択手段（４）は、前記リフティングステム（１６）と連結するために前記ウェイト（１４）が選択されるときに、前記少なくとも１つのレベルの部分に係合する、運動装置（２）。
【請求項２】
前記凹部（１８）は、異なる深さを有する少なくとも２つのレベルから成り、前記ウェイト選択手段（４）は、前記ウェイト（１４）が選択されていないときに、前記ウェイト選択手段（４）の第１の位置に対応している、第１のレベルの部分に係合し、前記ウェイト（１４）が選択されるときに、前記ウェイト選択手段（４）の第２の位置に対応している、より深い第２のレベルの部分に係合する、請求項１に記載の運動装置（２）。
【請求項３】
前記リフティングステム１６は、実質的に円形の水平断面及び、前記ウェイトスタック（６）中の前記ウェイト（１４）の数に対応する多くの水平周縁溝（３２）を有し、前記リフティングステム１６が前記ウェイト（１４）の前記中央開口（２０）に完全に挿入されるときに前記水平周縁溝（３２）は前記凹部（１８）と１列になる、請求項１または２のいずれかに記載の運動装置（２）。
【請求項４】
前記ウェイト選択手段（４）は、前記リフティングステム１６の前記水平周縁溝（３２）の周囲に係合するように調整された第１のフック形状端部（２４）と、前記ウェイトスタック（６）の外側に延伸している第２駆動端部（２６）、及び、中央枢動部（２８）からなる、請求項３に記載の運動装置（２）。
【請求項５】
前記ウェイト選択手段（４）の前記中央枢動部（２８）は円形である、請求項４に記載の運動装置（２）。
【請求項６】
前記ウェイト選択手段（４）は、さらに、各ウェイト（１４）の上面上に設けられた固定手段（２２）と係合するように調整された凹部（３０）を有する、請求項２乃至請求項５のいずれかに記載の運動装置（２）。
【請求項７】
前記固定手段（２２）はスプリングで付勢されたボールであって、対応する前記凹部（３０）は円形である、請求項６に記載の運動装置（２）。
【請求項８】
ユーザが前記ウェイトスタック（６）に近づくことを防止するために前記ウェイトスタック（６）はカバーによって保護されており、前記ウェイト選択手段（４）は、駆動ロッド（３４）を手段として前記カバーの外側から駆動可能になっている、請求項１乃至７のいずれかに記載の運動装置（２）。
【請求項９】
前記駆動ロッド（３４）は、クロー部材（４０）を手段として前記ウェイト選択手段（４）を駆動するように調整されているドライバー（３６）に連結されている、請求項８に記載の運動装置（２）。
【発明の詳細な説明】
【技術分野】
【０００１】
本発明は、一般的には運動装置、より具体的にはウェイト選択システムに関し、ユーザがウェイトスタックの中から所望量のウェイトを選択できるものである。
【背景技術】
【０００２】
所望量のウェイトを選択できることは、ほとんどすべての運動装置において通常の特徴である。広く普及している一つの方法は、ウェイトスタックの各プレートに設けられた中央開口部に降りるステムを使用するものであり、各ウェイトプレートの側部の穴とステムにおける対応する穴に挿入ピンが挿入されるものである。挿入ピンが各ウェイトプレートの側部の穴とステムにおける対応する穴に挿入ピンが挿入されると、ユーザがウェイトスタックを引っ張り上げるときに、挿入ピンはそれが挿入されたウェイトと、ウェイトスタックにおいてそのプレートよりも上に配置されたすべてのプレートを引き上げる。このようにして、挿入ピンよりも下にあるプレートは選択されない。
【０００３】
この一般的なウェイト選択システムにはいくつかの問題がある。問題の一つは、ウェイトプレートの側部の穴がステムにおける対応する穴と一直線になることが必須ということである。この問題の程度は、ウェイトプレートの厚さの許容誤差に依存して異なる。厚さの誤差の累積により、通常、この問題は、中央ステムの一番上または底部の穴、あるいは、双方の穴において、最も厳しい。これは、挿入ピンを挿入しようとするユーザにとって問題となる。この問題を解決する最も容易な方法は、生産工程においてウェイトプレートの許容誤差を非常に厳しくすることである。しかし、この解決方法の大きな不都合は、もちろん、運動装置の全体的な費用が増すことである。
【０００４】
第２の問題は、挿入ピンが容易に紛失することである。この問題の解決方法の一つは、ケーブルを使用してそれを運動装置に結び付けることである。これがなされたとしても、ユーザが使用しやすいように、ケーブルが切り離されることが、ときどきある。
【０００５】
第３の問題は、ユーザがトレーニング負荷を変更するときに、ウェイトスタックに近づく必要があることである。もしも、そのときに、他の人がなんらかの理由でその運動装置を使用していると、そのユーザは、落ちてくるウェイトによって、けがをしたり、圧迫される可能性がある。
【０００６】
このため、ウェイトスタックの機能にとって、ウェイトプレートの許容誤差が重要ではない運動装置が必要である。また、ピンあるいは他のウェイト選択メカニズムが紛失することなく、運動装置の機能を台無しにすることのないような解決方法が必要である。また、ケガをする危険がなく、ウェイトが選択される安全な運動装置が望ましい。
【発明の概要】
【発明が解決しようとする課題】
【０００７】
このため、本発明によって解決すべき課題は、ウェイトスタックの個々のウェイトプレートに許容誤差の相違があったとしても、ウェイト選択システムの部品が紛失せず非常に信頼できる運動装置を得ることである。
【課題を解決するための手段】
【０００８】
本発明は、互いに垂直に積み重ねられたウェイトのセットからななるウェイトスタックを有し、それらのウェイトはそれ自体を貫通する中央開口を有し、それを通してリフティングステムが下側に挿入可能であり、各ウェイトはウェイト選択手段を有し、中央リフティングステムに選択可能な数のウェイトを接続して固定するために、それらは枢動可能な状態でリフティングステムに係合可能である、運動装置を提供することによってこの問題を解決する。
【０００９】
本発明の第２の観点によれば、ユーザがウェイトスタックに近づくのを防止するために、ウェイトスタックがカバーによって保護されており、駆動ロッドを手段として、当該カバーの外側からウェイト選択手段を駆動可能になっている運動装置を提供する。
【００１０】
本発明のさらなる目的、特徴及び利点は、以下に記述する本発明のいくつかの実施形態
に表現され、そこにおいて、添付図面を参照してさらに詳細に本発明のバリエーションが記載されている。
【図面の簡単な説明】
【００１１】
【図１】本発明によるウェイト選択手段を有する運動装置の斜視図である。
【図２】本発明による運動装置のウェイトスタックの正面図である。
【図３】１つのウェイトプレートに設けられた２つの異なるレベルの凹部を示す底面図である
【図４】固定手段が配置された１つのウェイトプレートを示す平面図である。
【図５】ウェイト選択手段の詳細を示す図である。
【図６】リフティングステムの詳細を示す図である。
【図７】ウェイト選択手段を駆動可能にするウェイトスタックと駆動ロッドを示す図である。
【図８】ウェイト選択手段を駆動するためのドライバーとクロー部材を示す図であり、ウェイトスタックの上方から見た図である。
【発明を実施するための形態】
【００１２】
図１は、本発明によるウェイト選択手段４を有する運動装置２の斜視図である。運動装置２は、さらに、ウェイトスタック６、ケーブル８、プーリシステム１０及びハンドル１２を有する。ウェイトスタック６は、ハンドル１２を引っ張るユーザによって、ケーブル８及びプーリシステム１０を通じて実施されることによって付与された訓練運動に対抗するために使用される。運動装置２は、また、彼又は彼女が訓練運動を実施するときにユーザが座るシート１３を有する。ただし、運動装置２がシート１３を有することは必須ではない。すなわち、シート１３、あるいは、他のサポート、例えば、胸サポート、脚サポート等の使用は、使用される運動装置２の種類に依存する。本発明によるウェイト選択手段は、使用される運動装置２の種類に依存するものではなく、ウェイトスタックが配置されている限り、いかなる運動装置２にも使用できる。
【００１３】
図２は、ウェイトスタック６自体の詳細な正面図である。ウェイトスタック６は、互いに垂直に積み重ねられた独立したウェイトプレート１４の一組からなる。ウェイトプレート１４の数は、運動装置２の種類と、ユーザが望む負荷の種類に依存する。図２に明確に示されるように、各独立したウェイトプレート１４には、それぞれ、ウェイト選択手段４が配置されている。図２は、また、独立したウェイトプレート１４に設けられた中心開口に挿入されるリフティングステム１６を示す。中央のリフティングステム１６に選択可能な数のウェイトを接続して固定するために、ウェイト選択手段４は、枢動可能な状態でリフティングステム１６に係合可能である。リフティングステム１６の設計は、図６により詳細に記述されている。
【００１４】
図３は、一つのウェイトプレート１４の底面の詳細図であり、ウェイト選択手段４を受けるように設計されている凹部１８を示している。ウェイト選択手段４は、図５に示されている。上述のように、各ウェイトプレート１４は、貫通孔、すなわち、それを通してリフティングステム１６を挿入可能な開口２０を有している。ウェイトプレート１４のバランスをとるため、すなわち、複数のウェイトプレート１４が持ち上げられる時のバランスをとるために、開口２０は、望ましくは、ウェイトプレート１４の中心に配置される。凹部１８は、このウェイトプレート１４の下側に配置され、中央開口２０と接続している。好ましい実施形態において、凹部１８には少なくとも２つの異なるレベル、すなわち、異なる深さがある。この実施形態において、凹部１８は、ウェイト選択手段４が異なる位置の間を枢動可能なように設計されており、第１の位置はウェイト選択手段４が非選択位置に位置するときに対応し、より深い第２の位置はウェイト選択手段４が選択された位置に位置するときに対応する。
【００１５】
ウェイト選択手段４がより深い第２の位置に位置するときには、ユーザが位置を変更するまで、安全にそこに留まる。選択されたウェイトプレート１４が持ち上げられると、ウェイト選択手段４は、その保持する重量によって、第２のより深い位置の底部に対して押しつけられる。このため、訓練運動が行われている間に、ウェイト選択手段４が、“事故的に”第１の位置に滑り落ちることはない。ただし、凹部１８が少なくとも２つのレベルを有することは必須ではない。すなわち、本発明のもう一つの実施形態においては、凹部１８は、ただ一つのレベルを有し、その上に位置するウェイトスタック６の重量によって生成される圧力によって、ウェイト選択手段４の位置は維持される。  
【００１６】
ウェイト選択手段４が、第１の非選択位置に位置するとき、訓練運動の間、すなわち、選択された数のウエィト１４が上下に移動するときに、そこに滞在することが重要である。ウェイト選択手段４がそこに確実に固定されるために、ウェイトプレート１４の上側に固定手段２２（図４参照）が配置されている。これは、各ウェイトプレート１４の固定手段２２が、問題のウェイトプレート１４の直下に位置するウェイトプレート１４の上に配置されていることを意味する。好ましい実施形態において、固定手段２２はバネで付勢されたボールであり、ウェイト選択手段４の凹部と係合するようになっており、このことは、図５を参照して、以下に詳細に説明される。
【００１７】
図５は、ウェイト選択手段４の詳細を示す図である。ウェイト選択手段４は、第１のフック形状端部２４を有し、リフティングステム１６の水平方向の周囲溝（以下に記載する）に係合するように調整されている。ウェイト選択手段４の第２の駆動端部２６は、ウエィトスタック６の外側に延伸している。第２の駆動端部２６の形状とウエィトスタック６からの延伸の程度は、ウェイトがどのように選択されるかに依存する。もしも、ウエイトが運動装置２のユーザに直接的に選択されるのであれば、指に適合し、ユーザが迅速にしっかりと握ることができる程度に十分に長くウェイトスタックの外側に延びていることが望ましい。
【００１８】
本発明のもう一つの実施形態において、第２の駆動端部２６は、ユーザが駆動ロッドを介して操作できるドライバーの端部と適合する異なる形状を有しており、第２の駆動端部２６の一方の端部はウェイト選択手段４と離れて配置されている。これは、カバーが、安全上の理由で、ウェイスタック６を保護する場合、すなわち、ユーザがウェイトスタックに近づくことを防止する場合である。駆動ロッドはまた、訓練運動が実施されている場所でウェイト選択が実施されるのが望ましい場合に使用される。
【００１９】
図５は、さらに、ウェイト選択手段４が、中間枢動部２８を有し、その軸の周りをウエィト選択手段４がその２つの位置の間を枢動することができるようになっていることを示す。本発明の好ましい実施形態において、ウェイト選択手段４の枢動部２８は、円形である。ウェイト選択手段４はまた、上述のように、各ウェイトプレート１４の上部に配置された固定手段２２と係合するように調整された凹部３０を有する。しかし、ウェイトスタックの一番上のウェイトプレート１４には、その上にウェイトプレート１４が載ることはないから、固定手段を設ける必要はない。  
【００２０】
ウェイト選択手段４は、図５に示したものとは異なる形状を有していてもよい。重要なことは、ウェイト選択手段４が２つの位置を枢動可能であることであり、一つの位置は、リフティングステム１６と係合する位置であり、他の位置は、リフティングステム１６と係合しない位置であり、何らかの固定手段によって安全にその位置が維持される。このため、ウェイト選択手段４の第１のフック形状端部２４と第２の駆動端部２６の形状は、当業者によって多くのオプションがある。
【００２１】
図６は、リフティングステム１６の詳細を示す図である。リフティングステム１６は、実質的に円形の断面を有し、周縁を取り巻く複数の水平の溝３２を有し、ウェイトスタック６のウェイトプレート１４の数と対応している。溝３２は、リフティングステム１６がウェイトプレート１４の中央開口２０に完全に挿入されたときに、ウェイトプレートの凹部１８と一列に並ぶ。このため、リフティングステム１６が完全に挿入されたとき、対応するウェイト選択手段４をその枢動軸の周りに回転させることによって、所望の量のウェイトプレート１４が選択される。このようにして、ウェイト選択手段４のフック形状端部２４は、リフティングステム１６と係合する。周縁溝３２の深さは、ウェイトの重さによって異なり、調整される。
【００２２】
図７は、ウェイトスタックと、ウェイト選択手段４を駆動するための駆動ロッド３４を示す。駆動ロッド３４は操作可能な状態でドライバー３６に接続されている。ドライバー３６は、ウェイト選択手段４を２つの位置の間で動かすように設計されている。のこぎり歯形状のスロット３８は、駆動ロッド３４の動きをガイドする。駆動ロッド３４がスロット３８の歯の一つに滞在するとき、同時に、ドライバー３６を介して、対応するウェイト選択手段４を第２の位置に固定する。すなわち、ウェイト選択手段４がリフティングステム１６に係合する。重量を変更するためには、駆動ロッド３４がのこぎり歯形状のスロットの長いスロットに入れられ、その動きの間、対応するウェイト選択手段４は、第２の位置から、非係合位置である第１の位置に移動させられる。長いスロットの位置において、駆動ロッド３４は、所望のウェイトプレート１４を選択するために、自由に昇降できる。所望のウェイトプレート１４に到達次第、駆動ロッド３４がのこぎり歯形状のスロット３８の対応する歯に入れられることによって、ウェイト選択手段４は係合する第２の位置に導かれる。このため、駆動ロッド３８を使用することによって、離れた位置からでも所望の数のウェイトプレート１４を容易に選択することができる。
【００２３】
図８は、ウェイトスタックを上から見た図であり、ウェイト選択手段４を駆動するためのドライバー３６とクロー部材４０を示す。クロー部材４０のサイズと形状は、ウェイト選択手段４のサイズと形状に適合する。ウェイト選択手段４を離れた位置から駆動するために、当業者にとっては、多くの他の設計選択があることが理解されるべきである。
【００２４】
ドライバー３６とクロー部材４０と共に駆動ロッド３４を使用することは、ウェイトスタックが安全上の理由からカバーによって保護される必要がある場合に、非常に有益である。なお、単純化するために、図７及び図８にはカバーは表示されていない。
【００２５】
このように、本発明の異なる実施形態が説明された。しかし、本発明が好適な実施形態を参照して説明されたとしても、本発明がそれに限定されるわけではないことは理解されるべきである。本発明の範囲に属する他の多くの実施形態や変形例があり、本発明のクレームによって最適に規定される。  
【図１】
0005676495.tif 000002
【図２】
0005676495.tif 000003
【図３】
0005676495.tif 000004
【図４】
0005676495.tif 000005
【図５】
0005676495.tif 000006
【図６】
0005676495.tif 000007
【図７】
0005676495.tif 000008
【図８】
0005676495.tif 000009